(57)【要約】【課題】ユーザーの所望する付加情報付データを送信することが可能なデータ送信装置を提供する。【解決手段】本発明に係る携帯電話１は、データ受信装置に対して送信する予定の画像データを送信設定データベース５０に登録する送信設定部２１と、データ受信装置からの送信要求を受信したとき、送信設定データベース５０に登録されている画像データを、送信要求を送信したデータ受信装置に対して送信する画像データ送信部１２と、を備えている。【選択図】図１
2010081423.tif 000002
【特許請求の範囲】
【請求項１】
データを受信するデータ受信装置に特定の処理を実行させるための処理指定情報を格納した付加情報付データを送信するデータ送信装置であって、
データ受信装置に対して送信する予定の付加情報付データを送信設定管理部に登録する送信設定手段と、
送信要求を受信するか、または上記データ受信装置との通信が可能になったときに、上記送信設定管理部に登録されている付加情報付データを、当該データ送信装置に対して上記送信要求を送信したデータ受信装置に送信する送信手段と、
を備えていることを特徴とするデータ送信装置。
【請求項２】
上記送信設定手段は、上記データ受信装置に対して付加情報付データを送信した後、送信した付加情報付データを上記送信設定管理部から削除するか、または送信済であることを示す情報を当該付加情報付データに関連付けて上記送信設定管理部に登録することを特徴とする請求項１に記載のデータ送信装置。
【請求項３】
上記データ受信装置に対しての付加情報付データの送信可否を判定する判定手段をさらに備えており、
前記送信設定手段は、上記データ受信装置に対して付加情報付データを送信できない場合に、当該付加情報付データを上記送信設定管理部に登録することを特徴とする請求項１または２に記載のデータ送信装置。
【請求項４】
上記データ受信装置に対しての付加情報付データの送信可否を判定する判定手段と、
上記判定手段による当該付加情報付データの送信可否の判定に応じて、当該付加情報付データの即時送信を実行する項目、および、当該付加情報付データの上記送信設定管理部への登録を実行する項目のいずれかを表示部に表示する項目として設定する項目設定手段と、
上記項目設定手段により設定された項目を表示部に表示する表示制御手段と、
を備えていることを特徴とする請求項１または２に記載のデータ送信装置。
【請求項５】
上記送信設定手段は、付加情報付データに当該付加情報付データの送信時間を関連付けて送信設定管理部に登録し、
上記送信手段は、送信要求を受信するか、または上記データ受信装置との通信が可能になったときに、上記送信設定管理部に登録されている付加情報付データのうち、当該送信要求を受信した時刻を含む送信時間に関連付けて登録されている付加情報付データを、当該データ送信装置に対して上記送信要求を送信したデータ受信装置に送信することを特徴とする請求項１から４のいずれか１項に記載のデータ送信装置。
【請求項６】
上記送信設定手段は、上記付加情報付データに当該付加情報付データの送信に用いる伝送媒体をさらに関連付けて上記送信設定管理部に登録し、
上記送信手段は、上記付加情報付データに関連付けられている伝送媒体を用いて、当該付加情報付データを送信することを特徴とする請求項１から５のいずれか１項に記載のデータ送信装置。
【請求項７】
上記送信設定手段は、上記付加情報付データに格納されている処理指定情報に応じて、上記付加情報付データと関連付けて上記送信設定管理部に登録する伝送媒体を決定することを特徴とする請求項６に記載のデータ送信装置。
【請求項８】
上記送信設定手段は、上記送信設定管理部に登録されている第１の付加情報付データの送信時間と、上記送信設定管理部に登録しようとする第２の付加情報付データの送信時間とが重複する場合、第１の付加情報付データおよび第２の付加情報付データのそれぞれに対して、送信順序を関連付けて登録することを特徴とする請求項５に記載のデータ送信装置。
【請求項９】
上記付加情報付データを受信すると共に、受信した付加情報付データをデータ記録部に記録する付加情報付データ受信手段をさらに備えており、
上記送信設定手段は、上記データ記録部に記録されている付加情報付データから選択した付加情報付データをデータ受信装置に対して送信する予定の付加情報付データとして送信設定管理部に登録することを特徴とする請求項１から８のいずれか１項に記載のデータ送信装置。
【請求項１０】
上記付加情報付データに格納されている処理指定情報の種類に応じて、当該データ送信装置において処理可能な処理項目を設定する処理項目設定手段と、
当該処理項目設定手段により設定された処理項目を表示部に表示する表示制御手段と、
をさらに備えていることを特徴とする請求項１から９のいずれか１項に記載のデータ送信装置。
【請求項１１】
上記付加情報付データは、当該付加情報付データを受信するデータ受信装置に特定の処理を実行させるためのパラメータが付随する処理指定情報を格納した画像データであることを特徴とする請求項１から１０のいずれか１項に記載のデータ送信装置。
【請求項１２】
上記付加情報付データを表示部に表示する表示制御手段をさらに備えており、
上記表示制御手段は、上記処理指定情報が格納されていることを示す識別情報を上記付加情報付データに重畳させて上記表示部に表示することを特徴とする請求項１から１１のいずれか１項に記載のデータ送信装置。
【請求項１３】
上記表示制御手段は、当該付加情報付データに格納されている処理指定情報の種類に応じた識別情報を、当該付加情報付データに重畳させて上記表示部に表示することを特徴とする請求項１２に記載のデータ送信装置。
【請求項１４】
特定の処理を実行するための処理指定情報を格納した付加情報付データを受信するデータ受信装置と、当該データ受信装置に上記付加情報付データを送信するデータ送信装置と、を備えたデータ通信システムであって、
上記データ送信装置は、
データ受信装置に対して送信する予定の付加情報付データを送信設定管理部に登録する送信設定手段と、
送信要求を受信するか、または上記データ受信装置との通信が可能になったときに、上記送信設定管理部に登録されている付加情報付データを、当該データ送信装置に対して上記送信要求を送信したデータ受信装置に送信する送信手段と、を備えており、
上記データ受信装置は、
データ送信装置に対して付加情報付データの送信を要求する送信要求を送信する送信要求送信手段と、
上記送信要求を送信したデータ送信装置から送信された付加情報付データを受信する受信手段と、
受信した付加情報付データに格納されている処理指定情報に応じた処理を実行する処理実行手段と、を備えていることを特徴とするデータ通信システム。
【請求項１５】
データを受信するデータ受信装置に特定の処理を実行させるための処理指定情報を格納した付加情報付データを送信するデータ送信方法であって、
データ受信装置に対して送信する予定の付加情報付データを送信設定管理部に登録する送信設定ステップと、
送信要求を受信するか、または上記データ受信装置との通信が可能になったときに、上記送信設定管理部に登録されている付加情報付データを、当該データ送信装置に対して上記送信要求を送信したデータ受信装置に送信する送信手ステップと、
を含むことを特徴とするデータ送信方法。
【請求項１６】
請求項１から１３のいずれか１項に記載のデータ送信装置が備えているコンピュータを動作させるプログラムであって、上記コンピュータを上記の各手段として機能させるためのプログラム。
【請求項１７】
請求項１６に記載のプログラムを記録しているコンピュータ読み取り可能な記録媒体。
【発明の詳細な説明】
【技術分野】
【０００１】
本発明は、データ受信装置に対して、当該データ受信装置に処理を実行させるための処理指定情報を格納する付加情報付データを送信するデータ送信装置、データ送信方法およびデータ通信システムに関する。
【背景技術】
【０００２】
近年、デジタルカメラ、特にデジタルカメラ機能を有するカメラ付き携帯電話機の普及に伴って、デジタルカメラや携帯電話機から取り込んだ画像データを表示するテレビや、取り込んだ画像データを印刷するプリンタなどの装置も広く普及している。また、これらの装置間で、無線通信により画像データを転送する技術も普及している。
【０００３】
無線通信により画像データを転送するためのプロトコルとしては、ＩｒＳｉｍｐｌｅ（登録商標）のような高速赤外線通信プロトコルや、Ｂｌｕｅｔｏｏｔｈ（登録商標）のような近距離用無線通信プロトコルなどが一般的である。このような無線通信を用いることにより、携帯電話機で撮影した写真をテレビなどに表示させることなどが、容易に行なえるようになっている。
【０００４】
近年では、インターネットによる通信ネットワークの対応以外にも、複数の機器同士のネットワーク対応も進んでいる。すなわち、複数の装置同士で通信を行うことにより、ネットワークに接続されている機器を連携動作させることができるようになっている。このような連携動作の方法としては、ＨＤＭＩ（High-definition Multimedia Interface）などを用いて映像機器同士を接続することにより、操作信号を通信し合う方法がある。
【０００５】
ＨＤＭＩなどを用いた有線による連携動作以外にも、Ｂｌｕｅｔｏｏｔｈ（登録商標）、赤外線通信、Ｚｉｇｂｅｅ（登録商標）、ＵＷＢ（ultra wideband）のように短距離無線通信を用いて、ＰＤＡ（Personal Data Assistant）または携帯電話機などをリモコンに見立てて遠隔操作を行なう形態の連携動作もある。このような連携動作を実施するための方法としては、コマンドを直に送受信する方法と共に、コマンドなどを何らかのファイルに格納して送信するような方法も普及しつつある。
【０００６】
上記したような通信技術の発展により、近年では、携帯電話やＰＤＡ、ＰＣなどを用いて所望の設定を行なっておき、当該設定をコントロールしたい機器に対して転送するような使い方が提案されている。
【０００７】
例えば、特許文献１には、電話番号情報などの位置情報をＨＴＭＬファイルに格納し、位置情報を含むＨＴＭＬファイルをナビゲーション装置に送信する技術が開示されている。ナビゲーション装置側では、受信したＨＴＭＬファイルに格納されている電話番号情報を抽出し、それに基づいて、目的地設定または登録地設定を実行することができる。
【０００８】
しかし、このような短距離無線通信は、ユーザーの指示に基づいて必要なときにのみ通信を行うことが一般的である。そのため、ユーザーは、無線通信を行う際には、通信機器を起動させ、通信の設定を行うという煩雑な操作を強いられることになる。
【０００９】
特許文献２には、近距離無線通信を行うサーバとクライアントとが通信可能な区域内に入ったことに応答して通信を開始することにより、送信時における煩雑な操作からユーザーを解放するための技術が開示されている。
【特許文献１】特開２００３−３１５０７８号公報（公開日：平成１５年１１月６日）
【特許文献２】特開２００２−９８５４３号公報（公開日：平成１４年４月５日）
【発明の開示】
【発明が解決しようとする課題】
【００１０】
複数の機器同士でデータ通信を行う場合について、携帯電話からカーナビゲーションシステム（以下、カーナビとも称する）に対して情報を送信する場合を例に挙げて説明する。カーナビは、カーナビが搭載された（もしくは接続された）車のエンジンがかけられることにより起動することが一般的である。そのため、当然ながら、エンジンの切られている車では、カーナビは起動しておらず、起動していないカーナビは、他装置（例えば、携帯電話）との通信を行わない。このような場面において、カーナビと携帯電話とを連携動作させる場合、カーナビを起動させ、携帯電話との通信ができる状態にした後、携帯電話を操作して、連携させる情報をカーナビに対して送信しなければならない。そのため、特に、急いで車を発進させたい場合など、ユーザーが携帯電話における操作を忘れることもままある。
【００１１】
上述したように、カーナビに対して送信すべき情報があったことを車を発進させた後に気付いたとしても、車を発進させた後に携帯電話を操作し、カーナビに対して情報を送信することは、交通安全の面から絶対に避けるべきである。したがって、ユーザーは、携帯電話を操作してカーナビにデータを送信するために、一旦、停車（駐車）しなければならない。
【００１２】
また、特許文献２に記載の技術は、近距離無線通信を行うサーバとクライアントとが通信可能な区域内に入った場合に、クライアントが所定のデータ（ＩＤ情報）をサーバに送信するものであり、送信するデータをクライアント側において適宜設定しておくことはできないという問題を有している。
【００１３】
本発明は、上記の問題点に鑑みてなされたものであり、その主たる目的は、ユーザーが送信を所望する付加情報付データを送信することが可能なデータ送信装置を提供することにある。
【課題を解決するための手段】
【００１４】
本発明に係るデータ送信装置では、上記課題を解決するために、
データを受信するデータ受信装置に特定の処理を実行させるための処理指定情報を格納した付加情報付データを送信するデータ送信装置であって、データ受信装置に対して送信する予定の付加情報付データを送信設定管理部に登録する送信設定手段と、送信要求を受信するか、または上記データ受信装置との通信が可能になったときに、上記送信設定管理部に登録されている付加情報付データを、当該データ送信装置に対して上記送信要求を送信したデータ受信装置に送信する送信手段と、を備えていることを特徴としている。
【００１５】
本発明に係るデータ送信装置では、データ受信装置に対して送信する予定の付加情報付データを送信設定管理部に登録しておき、データ受信装置から送信要求を受けるか、またはデータ受信装置との通信が可能になったときに、送信設定管理部に登録されている付加情報付データを送信する。
【００１６】
これによって、送信設定管理部に登録する付加情報付データを様々変更することにより、様々な付加情報付データをデータ受信装置に対して送信することができる。したがって、本発明に係るデータ送信装置では、ユーザーの所望する付加情報付データをデータ受信装置に送信することができるという効果を奏する。
【００１７】
本発明に係るデータ送信装置では、さらに、上記送信設定手段は、上記データ受信装置に対して付加情報付データを送信した後、送信した付加情報付データを上記送信設定管理部から削除するか、または送信済であることを示す情報を当該付加情報付データに関連付けて上記送信設定管理部に登録することが好ましい。
【００１８】
上記の構成によれば、同じ付加情報付データを再度送信してしまうことを防止することができるという効果を奏する。
【００１９】
本発明に係るデータ送信装置では、さらに、データ受信装置に対しての付加情報付データの送信可否を判定する判定手段をさらに備えており、前記送信設定手段は、上記データ受信装置に対して付加情報付データを送信できない場合に、当該付加情報付データを上記送信設定管理部に登録することが好ましい。
【００２０】
上記の構成によれば、データを送信可能なのであればすぐに送信すればよいし、送信可能な状態でなければ後で送信できるよう設定する、という処理を自動で行なうことにより、ユーザが送信設定する際の手間を省くことができるという効果を奏する。
【００２１】
本発明に係るデータ送信装置では、さらに、上記データ受信装置に対しての付加情報付データの送信可否を判定する判定手段と、上記判定手段による当該付加情報付データの送信可否の判定に応じて、当該付加情報付データの即時送信を実行する項目、および、当該付加情報付データの上記送信設定管理部への登録を実行する項目のいずれかを表示部に表示する項目として設定する項目設定手段と、上記項目設定手段により設定された項目を表示部に表示する表示制御手段と、を備えていることが好ましい。
【００２２】
上記の構成によれば、データ受信装置に対して付加情報データが送信可能であるか否かに応じて、表示部に表示する実行項目を設定することができる。すなわち、現在いずれの処理が実行可能であるのかをユーザーに対して一目瞭然に通知することができる。
【００２３】
これによって、付加情報データを送信する際に要するデータ送信装置の操作回数を低減し、付加情報データの送信の際のユーザーの負担を軽減することができる効果を奏する。
【００２４】
本発明に係るデータ送信装置では、さらに、上記送信設定手段は、付加情報付データに当該付加情報付データの送信時間を関連付けて送信設定管理部に登録し、上記送信手段は、送信要求を受信するか、または上記データ受信装置との通信が可能になったときに、上記送信設定管理部に登録されている付加情報付データのうち、当該送信要求を受信した時刻を含む送信時間に関連付けて登録されている付加情報付データを、当該データ送信装置に対して上記送信要求を送信したデータ受信装置に送信することが好ましい。
【００２５】
上記の構成によれば、データ受信装置から付加情報付データの送信要求を受信するか、またはデータ受信装置との通信が可能になったときに、送信設定管理部を参照して、当該送信要求を受信するか、またはデータ受信装置との通信が可能になったときに、時刻に送信可能に登録されている付加情報付データをデータ受信装置に送信することができる。言い換えれば、本発明に係るデータ送信装置では、ユーザーが送信を所望する時間内にデータ受信装置からの送信要求を受けるか、またはデータ受信装置との通信が可能になった場合、すなわちユーザーが送信を所望する時間内にデータ送信装置とデータ受信装置との連携が確立した場合、ユーザーが送信を所望する時間に付加情報付データを送信することができるという効果を奏する。
【００２６】
本発明に係るデータ送信装置では、さらに、上記送信設定手段は、上記付加情報付データに当該付加情報付データの送信に用いる伝送媒体をさらに関連付けて上記送信設定管理部に登録し、上記送信手段は、上記付加情報付データに関連付けられている伝送媒体を用いて、当該付加情報付データを送信することが好ましい。
【００２７】
上記の構成によれば、付加情報付データをデータ受信装置に対して送信するための伝送媒体（言い換えれば、プロトコル）を設定しておくことができる。これによって、付加情報付データを送信するための伝送媒体が複数ある場合には、ユーザーの所望する伝送媒体により付加情報付データを送信することができるという効果を奏する。
【００２８】
本発明に係るデータ送信装置では、さらに、上記送信設定手段は、上記付加情報付データに格納されている処理指定情報に応じて、上記付加情報付データと関連付けて上記送信設定管理部に登録する伝送媒体を決定することが好ましい。
【００２９】
上記の構成によれば、付加情報付データに格納されている処理指定情報の種類に応じて、送信に用いる伝送媒体を自動的に決定している。すなわち、所定のデータ受信装置に対して付加情報付データを送信する場合には、予め決められた伝送媒体により付加情報付データを送信するように設定している。
【００３０】
これによって、ユーザーが付加情報付データの送信設定を登録する操作を行うたびに、伝送媒体を選択する必要がなくなり、送信設定の登録を容易なものにすることができる効果を奏する。
【００３１】
また、データ受信装置が、付加情報付データに関連付けて登録されている伝送媒体によるデータの受信ができないことにより、付加情報付データの送信が失敗してしまうことを防止することができるという効果も併せて奏する。
【００３２】
本発明に係るデータ送信装置では、さらに、上記送信設定手段は、上記送信設定管理部に登録されている第１の付加情報付データの送信時間と、上記送信設定管理部に登録しようとする第２の付加情報付データの送信時間とが重複する場合、第１の付加情報付データおよび第２の付加情報付データのそれぞれに対して、送信順序を関連付けて登録することが好ましい。
【００３３】
上記の構成によれば、送信時間が重複している付加情報付データの送信順序を設定することができる。これによって、送信設定管理部に登録されている送信時間が重複している場合であっても、ユーザーの所望する順序により、付加情報付データをデータ受信装置に対して送信することができるという効果を奏する。
【００３４】
本発明に係るデータ送信装置では、さらに、上記付加情報付データを受信すると共に、受信した付加情報付データをデータ記録部に記録する付加情報付データ受信手段をさらに備えており、上記送信設定手段は、上記データ記録部に記録されている付加情報付データから選択した付加情報付データをデータ受信装置に対して送信する予定の付加情報付データとして送信設定管理部に登録することが好ましい。
【００３５】
上記の構成によれば、外部装置から取り込んだ付加情報付データであっても、付加情報付データの送信設定を行うことができるという効果を奏する。
【００３６】
本発明に係るデータ送信装置では、さらに、上記付加情報付データに格納されている処理指定情報の種類に応じて、当該データ送信装置において処理可能な処理項目を設定する処理項目設定手段と、当該処理項目設定手段により設定された処理項目を表示部に表示する表示制御手段と、をさらに備えていることが好ましい。
【００３７】
上記の構成によれば、付加情報付データに格納されている処理指定情報の種類に応じて、自装置において処理可能な処理項目を表示部に表示することができる。すなわち、本発明に係るデータ送信装置では、自装置において処理可能である処理を示す項目のみをユーザーに対して提示することができるという効果を奏する。
【００３８】
本発明に係るデータ送信装置では、さらに、上記付加情報付データは、当該付加情報付データを受信するデータ受信装置に特定の処理を実行させるためのパラメータが付随する処理指定情報を格納した画像データであることが好ましい。
【００３９】
本発明に係るデータ送信装置では、さらに、上記付加情報付データを表示部に表示する表示制御手段をさらに備えており、上記表示制御手段は、上記処理指定情報が格納されていることを示す識別情報を上記付加情報付データに重畳させて上記表示部に表示することが好ましい。
【００４０】
上記の構成によれば、ユーザーは、表示部に表示される付加情報付データが処理指定情報を格納するものであるのか否かを容易に判別することができるという効果を奏する。
【００４１】
本発明に係るデータ送信装置では、さらに、上記表示制御手段は、当該付加情報付データに格納されている処理指定情報の種類に応じた識別情報を、当該付加情報付データに重畳させて上記表示部に表示することが好ましい。
【００４２】
上記の構成によれば、ユーザーは、表示部に表示される付加情報付データがどのような種類の処理指定情報を格納しているのかを容易に判別することができるという効果を奏する。
【００４３】
本発明に係るデータ通信システムでは、上記課題を解決するために、
特定の処理を実行するための処理指定情報を格納した付加情報付データを受信するデータ受信装置と、当該データ受信装置に上記付加情報付データを送信するデータ送信装置と、を備えたデータ通信システムであって、上記データ送信装置は、データ受信装置に対して送信する予定の付加情報付データを送信設定管理部に登録する送信設定手段と、送信要求を受信するか、または上記データ受信装置との通信が可能になったときに、上記送信設定管理部に登録されている付加情報付データを、当該データ送信装置に対して上記送信要求を送信したデータ受信装置に送信する送信手段と、を備えており、上記データ受信装置は、データ送信装置に対して付加情報付データの送信を要求する送信要求を送信する送信要求送信手段と、上記送信要求を送信したデータ送信装置から送信された付加情報付データを受信する受信手段と、受信した付加情報付データに格納されている処理指定情報に応じた処理を実行する処理実行手段と、を備えていることを特徴としている。
【００４４】
上記の構成によれば、本発明に係るデータ送信装置と同様の作用効果を奏する。
【００４５】
本発明に係るデータ送信方法では、上記課題を解決するために、
データを受信するデータ受信装置に特定の処理を実行させるための処理指定情報を格納した付加情報付データを送信するデータ送信方法であって、データ受信装置に対して送信する予定の付加情報付データを送信設定管理部に登録する送信設定ステップと、送信要求を受信するか、または上記データ受信装置との通信が可能になったときに、上記送信設定管理部に登録されている付加情報付データを、当該データ送信装置に対して上記送信要求を送信したデータ受信装置に送信する送信手ステップと、
を含むことを特徴としている。
【００４６】
上記の構成によれば、本発明に係るデータ送信装置と同様の作用効果を奏する。
【００４７】
また、本発明に係る画像データ送信装置を動作させるためのプログラムであって、コンピュータを上記の各手段として駆動させることを特徴とするプログラムおよび該プログラムを記録したコンピュータ読み取り可能な記録媒体も本発明の範疇に含まれる。
【発明の効果】
【００４８】
以上のように、本発明に係るデータ送信装置では、データ受信装置に対して送信する予定の付加情報付データを送信設定管理部に登録しておき、データ受信装置から送信要求を受けるか、またはデータ受信装置との通信が可能になったときに、送信設定管理部に登録されている付加情報付データを送信する。
【００４９】
これによって、本発明に係るデータ送信装置では、ユーザーの所望する付加情報付データをデータ受信装置に送信することができる効果を奏する。
【発明を実施するための最良の形態】
【００５０】
本発明に係るデータ送信装置の一実施形態について、図１〜１１を参照しつつ以下に説明する。なお、本実施形態では、データ送信装置が携帯電話である場合を例に挙げて説明する。もちろん、データ送信装置は、携帯電話に限定されるものではなく、付加情報付データを送信できる装置であれば他の装置であってもよい。
【００５１】
また、本実施形態では、データ送信装置の送信する付加情報付データが、当該データを受信するデータ受信装置に特定の処理を実行させるためのパラメータが付随した処理指定情報を格納した画像データである場合を例に挙げて説明する。ここで、本実施形態では、データ送信装置の具体的な説明に先立って、データ送信装置により送信される画像データの詳細について説明する。
【００５２】
（画像データ３）
本発明に係るデータ送信装置により送信される画像データのデータ構造を図２に示す。図２は、画像データ３のデータ構造の概略を示した模式図である。図２に示すように、画像データ３は、概略的に言えば、画像領域６１０およびＥＸＩＦ領域６２０を含んで構成された、ＪＰＥＧ形式の画像データである。
【００５３】
（画像領域６１０およびＥＸＩＦ領域６２０）
画像領域６１０は、写真などの画像を圧縮して格納する領域である。一方、ＥＸＩＦ領域６２０は、主に、画像領域６１０に格納された画像情報に関するメタ情報などを格納する領域である。
【００５４】
ＥＸＩＦ領域６２０には、画像データ３の配信サービスを行なう事業者が仕様を自由に定めて利用することができるメーカノート領域６２１が含まれている。そして、メーカノート領域６２１には、複数の処理指定情報５を格納することができる。メーカノート領域６２１内のどの領域に処理指定情報５を格納するかは、特に限定されるものではない。なお、図２に示す例では、２つの処理指定情報５（処理指定情報５Ａおよび処理指定情報５Ｂ）を格納している。
【００５５】
なお、画像領域６１０には、メーカノート領域６２１に格納されている処理指定情報５により指定される処理の内容を表す画像を格納しておいてもよい。これにより、データ送信装置１の表示部において画像データ３を表示した場合、画像データ３を受信した画像データ受信処理装置（データ処理装置）が実行可能な処理の内容について、ユーザーが視認することができ、その結果、ユーザーは画像データ３を画像データ受信処理装置に送信するべきか否かを判断することが可能となる。
【００５６】
（処理指定情報５）
処理指定情報５は、画像データ受信処理装置が実行すべき処理を指定するコマンドの名称であるコマンド名６と、コマンドのパラメータであるパラメータ７との組から成るものである。コマンドによっては、パラメータ７は無くてもよい。また、コマンド名６に代えてコマンドを識別可能なコードを用いてもよい。
【００５７】
図２に示す例では、処理指定情報５Ａは、コマンド名６が“ＷＷＷ Ｇｅｔ”であり、パラメータ７が“ＵＲＬ：http://www.sample-page.jp”である。この処理指定情報５Ａは、パラメータ７で指定されたＵＲＬ（Uniform Resource Locator）で示されるＨＴＴＰサーバのＷｅｂページを取得するというコマンドである。また、処理指定情報５Ｂは、コマンド名６が“位置指定”であり、パラメータ７が“位置：東経１３５度、北緯３５度”である。この処理指定情報５Ｂは、パラメータ７で指定された経度および緯度に示される位置に基づいて、ナビゲーションやルート検索などの処理を実行するというコマンドである。
【００５８】
“ＷＷＷ Ｇｅｔ”は、Ｗｅｂ機能が搭載されている装置（例えば、テレビ、ＰＣ、または携帯電話など）で実行可能なコマンドである。このコマンドを受信した装置は、パラメータ７で指定されたＵＲＬで示されるＨＴＴＰサーバのＷｅｂページを取得し、表示部に表示する。また、“位置指定”は、カーナビゲーションシステムなどの、位置情報を使用する装置で実行可能なコマンドである。このコマンドを受信したカーナビゲーションシステムは、例えば、パラメータ７で指定された位置情報を目的地として設定した上でナビゲーションを開始する。
【００５９】
したがって、例えば、画像データ３をテレビに送信すると、テレビは、自装置で実行可能な“ＷＷＷ Ｇｅｔ”コマンドを実行し、“ＷＷＷ Ｇｅｔ”のパラメータで指定されたＵＲＬで示されるＨＴＴＰサーバから、例えば観光案内などの情報を取得し、表示する。なお、テレビは、“位置指定”コマンドで指定される処理は実行しないが、“位置指定”コマンドを受けて地図を表示する、または指定された位置に関する情報を検索する、などの処理ができるようテレビである場合には、この限りではない。
【００６０】
一方、画像データ３をカーナビゲーションシステムに送信すると、カーナビゲーションシステムは、自装置で実行可能な“位置指定”コマンドのみで指定される処理を実行し、例えば、“位置指定”のパラメータ７で指定された位置を目的地としたナビゲーションやルート検索などを実行したり、“位置指定”のパラメータ７で指定された位置をカーナビゲーションシステムにおいてメモリ登録したりする。なお、カーナビゲーションシステムは、“ＷＷＷ Ｇｅｔ”コマンドは実行しないが、当該カーナビゲーションシステムが、通信手段を持ち、ＨＴＭＬファイルを表示可能であり、“ＷＷＷ Ｇｅｔ”コマンドを受けて指定されたＵＲＬで示されるＨＴＴＰサーバにアクセスするよう構成されている場合には、この限りではない。
【００６１】
もちろん、各処理指定情報５に格納されている処理指定情報５がいずれも自装置において処理可能である場合には、そのいずれもを処理してもよい。この場合、画像データ受信処理装置は、ユーザーに対して処理可能な処理指定情報５のうち、いずれの処理を実行するのかを問い合わせる表示を表示するようにすればよい。画像データ受信処理装置は、ユーザーの選択した処理を実行する。
【００６２】
なお、いずれか一方の処理ではなく、複数の処理を同時に実行するようにしてもよい。例えば、画像データ受信処理装置がＷｅｂ機能および地図表示が可能なＰＣやテレビである場合、表示画面を２分割し、取得したＷｅｂページを一方の画面に表示し、もう一方の画面には、位置情報により指定される位置を示す地図を表示するようにすることもできる。また、画像データ受信処理装置がＰｉｎＰ機能を有する場合には、いずれかを主画面に表示するようにし、もう一方を副画面に表示するようにすることもできる。
【００６３】
また、図２では、処理指定情報５Ａおよび５Ｂに付随するコマンド６がそれぞれ異なる場合について説明しているが、同一であってもよい。例えば、コマンド６がいずれも“ＷＷＷ Ｇｅｔ”であり、パラメータ７が異なるＵＲＬであってもよい。この場合、処理を同時に実行すると、それぞれのＵＲＬにより指定されるＷｅｂページを表示することになる。また他の例では、コマンド６がいずれも“位置指定”である場合には、複数の指定された位置のうち、いずれかを経由地、いずれかを目的地として、経路探索を行なって提示することになる。
【００６４】
また、図２には処理指定情報５が２つ格納されている画像データ３を示しているが、もちろんこれに限定されるものではない。画像データ３に格納される処理指定情報５は、３つ以上であってもよいし、また１つのみであってもよい。また、本実施形態では、処理指定情報５を格納するデータが、ＪＰＥＧ形式の画像データである場合を例に挙げて説明しているが、処理指定情報５を格納することが可能なデータであればこれに限定されるものではない。
【００６５】
なお、本明細書等における「画像データ」とは、特に断りがない限り、図２において説明したようなデータ構成を有する（すなわち、処理指定情報５が格納されている）画像データを意味している。
【００６６】
（携帯電話１の構成）
次に、本発明に係る携帯電話（データ送信装置）の構成について、図１を参照しつつ以下に説明する。図１は、携帯電話１の要部構成を示すブロック図である。
【００６７】
図１に示すように、携帯電話１は、制御部１０、送信要求受信部１１、画像データ送信部１２、表示制御部１３、表示部１４、操作入力部１５、画像データ受信部１６、送信設定管理データベース５０および画像データデータベース５１を備えている。これらの部材について、以下に説明する。
【００６８】
（制御部１０）
制御部１０は、携帯電話１の動作全般を制御するものであり、図１に示すように、検索部２０、送信設定部２１および格納情報識別部２２を備えている。検出部２０、送信設定部２１および格納情報識別部２２について、以下に説明する。
【００６９】
（検索部２０）
検索部２０は、携帯電話１が外部装置（データ受信装置）から画像データ３の送信要求を受信するか、または外部装置との通信が可能になったときに、送信設定管理データベース５０に登録されている画像データを検出する。なお、画像データの送信時間が関連付けられている場合には、送信要求を受信するか、または外部装置との通信が可能になった時刻に送信可能に設定されている画像データを検出する。
【００７０】
なお、本明細書等において、携帯電話１が「送信可能」であるとは、外部装置（データ受信装置）との通信を確立している、もしくは、装置の探索信号を送信した場合にレスポンス信号が返ってくる、といった、すぐにデータを送信することができる状態を指すこととする。また、データが「送信可能」であるとは、携帯電話１が送信可能である場合にすぐに当該データを送信することができる状態にあることを指すとする。従って、「送信要求を受信した時刻に送信可能に設定されている画像データ」とは、送信要求を受信した時刻を「送信時間」として設定している、送信予定時間の中に当該受信時刻が含まれている画像データを指す。また、「送信時間」とは、画像データを送信可能な状態に設定しておく時間を意味している。
【００７１】
（送信設定部２１）
送信設定部２１は、送信を所望する画像データを送信設定管理データベース５０に登録する。なお、送信設定部２１は、画像データと当該画像データの送信時間と当該画像データの伝送媒体とを互いに関連付けて登録するようにしてもよい。
【００７２】
（格納情報識別部２２）
格納情報識別部２２は、画像データに格納されている処理指定情報の種類を識別する。例えば、図２に示す画像データ３の場合には、格納情報識別部２２は、処理指定情報５としてＵＲＬおよび位置情報が格納されていると識別する。
【００７３】
（送信要求受信部１１、画像データ送信部１２）
受信部１１は、外部装置（データ受信装置）からの画像データの送信要求を受信する。画像データ送信部１２は、例えば、ＩＥＥＥ８０２．１１無線、ＩｒＤＡやリモコンのような赤外線、Ｂｌｕｅｔｏｏｔｈ（登録商標）などの無線、または非接触ＩＣを用いて、画像データを外部装置（データ受信装置）へ送信する。なお、画像データの送信動作の詳細については、下記に詳述する。
【００７４】
（画像データ受信部１６）
画像データ受信部１６は、外部装置（例えば、画像データ生成装置）から画像データを受信する。画像データ受信部１６は、Ｂｌｕｅｔｏｏｔｈ（登録商標）または赤外線などにより送信される画像データを受信するものであってもよいし、例えば電子メールの添付ファイルとして送信される画像データを受信するものであってもよい。画像データ受信部１６は、画像データを受信すると、受信した画像データを画像データデータベース５１に記録する。このとき、画像データが他のデータに添付されている場合、画像データ受信部１６は、画像データを含むデータから画像データを抽出し、画像データデータベース５１に記録する。
【００７５】
（表示制御部１３、表示部１４）
表示制御部１３は、液晶モニターなどの映像表示モニターである表示部１４に対する画像（または映像）の表示全般を制御する。例えば、表示制御部１３は、画像データデータベース５１から読み出された画像データを表示する。このとき、表示制御部１３は、画像データに処理指定情報が格納されていることを示すマーカー（識別情報）を重畳させて表示部１４に表示することが好ましい。画像データに重畳して表示するマーカーの詳細については、下記に詳述する。
【００７６】
（操作入力部１５）
操作入力部１５は、複数のキーからなる。操作入力部１５は、これらのキーが押下されると、所定の信号を制御部１０に出力する。これにより、ユーザーは携帯電話１に所定の処理を実行させることができる。例えば、各キーが所定の数字、かな文字、アルファベット、および記号に対応付けられている場合、ユーザーは、キーを押下することにより、当該キーに対応付けられている数字、かな文字、アルファベット、または記号を携帯電話１に入力することができる。
【００７７】
なお、ユーザーが十字キーなどのカーソルキーおよび決定キーを押下し、表示部１４に表示する表示画面の中で数字、かな文字、アルファベット、または記号を選択することにより、携帯電話１に数字、かな文字、アルファベット、または記号を入力するようにしてもよい。
【００７８】
（送信設定管理データベース５０、画像データデータベース５１）
送信設定管理データベース５０は、送信要求を受けた際に送信する画像データを記録している。なお、画像データの送信時間および伝送媒体が設定可能である場合には、画像データと当該画像データの送信時間と当該画像データの伝送媒体とを互いに関連付けて記録している。送信設定管理データベース５０では、画像データの実体を記憶しなくてもよく、画像データベース５１に記憶されている画像データへのポインタを記憶するようにしてもよい。また、画像データデータベース５１は、画像データを記録している。
【００７９】
ここで、本明細書等では、画像データをどのような通信媒体で送るか、いつ送る予定か、送ったか否か、などを総称して、画像データの「送信設定」と称する。また、本明細書等では、送信設定を送信設定管理データベース５０に登録し、データ受信装置からの送信要求を受けた際にデータを送信可能に設定することを「送信予約」とも称する。
【００８０】
（携帯電話１における画像データの送信動作）
次に、携帯電話１における画像データの送信動作について、図３を参照しつつ以下に説明する。図３は、携帯電話１における画像データの送信動作を示すフローチャートである。
【００８１】
受信部１１が、外部装置（データ受信装置）からの画像データの送信要求を受信すると（ステップＳ１）、検索部２０は、送信設定管理データベース５０において、送信設定が登録されている画像データが存在するか否かを検索する（ステップＳ２）。すなわち、検索部２０は、送信予約されている画像データ３が存在するか否かを検索する。
送信設定が登録されている画像データが送信設定管理データベース５０に登録されていない場合（ステップＳ２においてＮＯ）、すなわち送信予約されている画像データが存在しない場合、携帯電話１は、携帯電話１に対して送信要求を送信したデータ受信装置に画像データを送信しない。
【００８２】
送信設定が登録されている画像データが送信設定管理データベース５０に登録されている場合（ステップＳ２においてＹＥＳ）、すなわち送信予約されている画像データが存在する場合、検索部２０は、当該画像データを、携帯電話１に対して送信要求を送信したデータ受信装置へ送信するための画像データとして設定する（ステップＳ３）。
【００８３】
次に、送信部１２は、検索部２０において設定された画像データを、画像データデータベース５１から読み出し、読み出した画像データを携帯電話１に対して送信要求を送信した外部装置に送信する（ステップＳ４）。このとき、送信部１２は、送信設定管理データベース５０において、送信する画像データに関連付けられている伝送媒体を用いて、画像データを送信する。
【００８４】
このとき、表示制御部１３は、画像データを送信中である旨の通知を表示部１４に表示することが好ましい。また、画像データの送信が完了した後には、表示制御部１３は、送信が完了した旨の通知を表示部１４に表示するようにすることが好ましい。
【００８５】
最後に、制御部１０は、送信した画像データの送信設定を解除する（ステップＳ５）。すなわち、制御部１０は、送信設定管理データベース５０において、送信した画像データに送信が完了済であることを示すフラグを設定するか、または送信設定管理データベース５０から、送信した画像データに関連する情報を削除する。
【００８６】
なお、この送信設定管理データベースからの削除は、送信先の装置に対して確実に送信したことを確認してから削除してもよい。送信先の装置が確実に受信したかどうかを確認する方法としては、通常のデータ転送プロトコルでのレスポンス信号（例えばＡＣＫ（Acknowledgement）など）を用いてもよいし、さらに別の例では、送信先装置より「設定が完了した」や「削除可」などの信号を受信して確認するとしてもよい。
【００８７】
また、上述した処理動作では、データ受信装置から送信要求を受信した後に、送信予約されている画像データの有無を確認するという手順で説明しているが、これに限定されるものではない。例えば、データ受信装置から送信要求に先立って、送信予約されている画像データの有無を確認する旨の信号を受信するようにしてもよい。この場合、携帯電話１は、予約されている画像データが存在することをデータ受信装置に対して通知し、データ受信装置はその通知を受信した後、改めて送信要求（転送要求）を携帯電話１に対して送信する。また別の例では、送信要求を受信することなく、データ受信装置との通信が可能になった（送信可能になった）ことを検出して、送信予約されている画像データ３が存在するか否かを検索するようにしてもよい。
【００８８】
（携帯電話１の利点）
以上説明したように、本発明に係る携帯電話１では、データ受信装置に対して送信する予定の画像データを送信設定管理データベース５０に登録しておき、データ受信装置から送信要求を受けたときに送信設定管理データベース５０に登録されている画像データを送信する。
【００８９】
これによって、送信設定管理データベース５０に登録する画像データを様々変更することにより、様々な画像データをデータ受信装置に対して送信することができる。以上のことより、携帯電話１では、ユーザーの所望する画像データを、送信要求を送信してきたデータ受信装置に対して送信することができる。
【００９０】
（送信時間の設定が可能である場合）
予約設定部２１は、画像データの送信時間を画像データに関連付けて送信設定管理データベース５０に登録してもよい。この場合、ステップＳ２において、画像データが送信設定管理データベース５０に登録されていることを確認した後、データ受信装置に対して送信する前に、この画像データに送信希望時間が設定されているかどうかを確認すればよい。
【００９１】
つまり、検索部２０は、送信設定管理データベース５０において、送信時間がデータ受信装置から送信要求を受けた時刻を含む画像データ３が存在するか否かを検索する。送信時間がデータ受信装置から送信要求を受けた時刻を含む画像データが送信設定管理データベース５０に登録されていない場合、携帯電話１は、携帯電話１に対して送信要求を送信したデータ受信装置に画像データを送信しない。
【００９２】
送信時間がデータ受信装置から送信要求を受けた時刻を含む画像データが送信設定管理データベース５０に登録されている場合、当該画像データを、携帯電話１に対して送信要求を送信したデータ受信装置へ送信するための画像データとして設定する。
【００９３】
なお、検索部２０が、送信時間が外部装置から送信要求を受けた時刻を含む画像データを検索する際に、送信設定管理データベース５０において、送信要求を受けた時刻が設定されている送信時間を超過している画像データが存在する場合、送信時間が超過している画像データにおける送信設定を解除するようにしてもよい。このとき、表示制御部１３は、送信することができなかった旨の通知を表示部１４に表示するようにすることが好ましい。
【００９４】
（時間設定が可能な場合の利点）
このように、送信設定にさらに送信したい時間を設定することを可能にすることで、サーバとクライアントとが通信可能な区域内において通信可能な状態であれば通信が開始できることに加えて、いつ通信を行うのかまでも設定することが可能になる。すなわち、本発明に係る携帯電話１では、データ受信装置から画像データの送信要求を受信したときに、送信設定管理データベース５０に登録されている画像データのうち、送信要求を受信した時刻を含む送信時間に関連付けて登録されている画像データを送信する。言い換えれば、携帯電話１では、送信設定管理データベース５０に登録されている画像データのうち、画像データの送信時間がデータ受信装置からの送信要求を受信した時刻に送信可能である画像データをデータ受信装置に送信する。
【００９５】
よって、本発明に係る携帯電話１では、ユーザーが送信を所望する時間内にデータ受信装置からの送信要求を受けた場合であれば、ユーザーが送信を所望する時間に画像データを送信することができる。したがって、画像データを送信予約しておくことにより、ユーザーが画像データの送信を失念していたとしても、データ受信装置からの送信要求をトリガとして、ユーザーが送信を所望する時間にデータ受信装置に対して画像データを送信することができる。
【００９６】
例えば１泊２日の旅行の旅程データを作成した場合、１日目の旅程データは１日目に、２日目の旅程データは２日目にカーナビに送信する必要がある。しかし、旅程データを作成した日にはそのことを覚えていても、日が経つと送信すべき旅程データがあったことを忘れ、旅程データをカーナビに送信することをつい忘れてしまうような状況もまた、ままありえる。なお、ここでの旅程データとは、カーナビに対して目的地までのルート探索を実行するように指示する情報を格納したデータのことである。このような場合には、旅行の出発前に１日目旅程データと２日目旅程データの双方を送信設定管理データベース５０に登録する際、それぞれ、送信予定時間を１日目の日付、２日目の日付としておくことで、１日目には１日目の旅程データを、２日目には２日目の旅程データを、それぞれカーナビに対して送信することが可能となる。
【００９７】
より具体的に説明すると、２００８年７月１９日から２０日の１泊２日の旅行の旅程データを７月１８日に送信予約する場合、１日目（２００８年７月１９日）の旅程データの送信時間は、２００８年７月１９日０時０分（または、指定なし）〜２００８年７月１９日２３時５９分に設定し、２日目（２００８年７月２０日）の旅程データの送信時間は、２００８年７月２０日０時０分（または、指定なし）〜２００８年７月２０日２３時５９分に設定すればよい。なお、「旅程データ」とは、カーナビ（データ受信装置）に対して目的地までのルート探索を実行するように指示する処理指定情報を格納した画像データのことである。
【００９８】
旅程データの送信時間を上記のように設定しておくことで、７月１９日に車に乗り、カーナビを起動させた際に、１日目の旅程データが携帯電話１からカーナビに対して自動的に送信される。そして、７月２０日に車に乗り、カーナビを起動させた際に、２日目の旅程データが携帯電話１からカーナビに対して自動的に送信される。したがって、ユーザーは、車に乗る際にわざわざ携帯電話１を操作し、カーナビに対して旅程データを送信しなくてもよく、またユーザーが旅程データをカーナビに送信することを失念していたとしても自動的に旅程データがカーナビに送信される。
【００９９】
（送信予約の設定動作における表示部１４の表示）
次に、送信設定管理データベース５０に対して画像データの送信設定を登録する際の表示部１４における表示の詳細について、図４（ａ）および（ｂ）〜図５を参照しつつ以下に説明する。
【０１００】
まず、ユーザーが、操作入力部１５の操作を介して、画像データの表示を指示すると、制御部１０は、表示制御部１３に対して画像データデータベース５１に記録されている画像データの表示を指示する。そして、表示制御部１３は、画像データデータベース５１に記録されている画像データを表示部１４に表示する。表示部１４における画像データの表示例を図４（ａ）および（ｂ）に示す。図４（ａ）および（ｂ）は、表示部１４における画像データの表示例を示しており、（ａ）は画像データの一覧表示の一例を示しており、（ｂ）は画像データを選択した時のメニュー表示の一例を示している。
【０１０１】
このとき、表示制御部１３は、画像データが処理指定情報を格納しているデータであることをユーザが判別可能に提示することが好ましい。例えば、図４（ａ）における「Ｐｒ」マークのようなマーカーを画像データに重畳して表示してもよいし、または画像の外もしくは近傍に処理指定情報を格納している旨を表示するようにしてもよい。これによって、ユーザーは、表示されている画像データが処理指定情報５を格納している画像データであることを容易に判別することができる。
【０１０２】
また、図４（ａ）に示すように、画像データを一覧表示する際には、サムネイル表示された画像データの近傍に各画像データについての情報を併せて表示することが好ましい。表示する画像データの情報としては、例えば、携帯電話１が当該画像データを受信した日付、画像データの名称などがある。また、画像データが処理指定情報に付随するパラメータとしてＵＲＬを格納している場合には、図４（ａ）に示すように、格納しているＵＲＬを表示するようにしてもよい。もちろん、ＵＲＬ以外のデータを表示してもよい。例えば、画像データがＧＰＳ情報（緯度経度情報）を格納している場合には、緯度および経度、または緯度および経度に基づいて指定される住所を表示するようにしてもよい。
【０１０３】
次に、ユーザーが、操作入力部１５を介した操作により、一覧表示されている画像データのうちの１つを選択すると、表示制御部１３は、図４（ｂ）に示すメニューを表示部１４に表示する。なお、本実施形態では、「高床式喫茶」を選択した場合を例に挙げて説明する。
【０１０４】
図４（ｂ）に示すメニューにおいて、ユーザーが「直接送信」を選択すると、即座に「高床式喫茶」の画像データをデータ受信装置に送信する。なお、携帯電話１が複数の伝送媒体によりデータを送信可能である場合、「直接送信」を選択することにより、画像データの送信に用いる伝送媒体を選択するメニューを表示するようにしてもよい。ユーザーが「ＨＰを見る」を選択すると、携帯電話１は「高床式喫茶」の画像データに格納されている処理指定情報を自装置において実行し、「高床式喫茶」のホームページを表示部１４に表示する。ユーザーが「地図を見る」を選択すると、携帯電話１は「高床式喫茶」の画像データに格納されている処理指定情報を自装置において実行し、「高床式喫茶」の所在を示す地図を表示部１４に表示する。ユーザーが「カーナビに送る」を選択すると、携帯電話１は、「高床式喫茶」の画像データをカーナビに送信する。このとき、画像データを送信する伝送媒体については、予め定められている伝送媒体を用いることが好ましい。ユーザーが「電話をかける」を選択すると、携帯電話１は「高床式喫茶」の画像データに格納されている処理指定情報を自装置において実行し、「高床式喫茶」に対して電話をかける。
【０１０５】
なお、画像データを選択した際に表示されるメニューにおいて表示される項目は、画像データに格納されている処理指定情報に応じて適宜変更される。画像データを選択した際に表示されるメニューにおいて表示される項目の設定については、下記にて説明する。
【０１０６】
ユーザーが、図４（ｂ）に示すメニュー画面において「送信予約」を選択した場合について、以下に説明する。送信時間を設定しない場合、ユーザーが、図４（ｂ）に示すメニュー画面において「送信予約」を選択すると、単に送信予約を受け付けましたとユーザーに通知するようにすればよい。一方、送信時間を設定する場合、表示制御装置１３は、図５に示す画面を表示部１４に表示する。図５は、画像データの送信設定画面の一例を示す図である。
【０１０７】
ユーザーが、図４（ｂ）に示すメニュー画面において「送信予約」を選択した場合、表示制御部１３は、図５に示すように、「高床式喫茶」の画像データを送信する送信時間および伝送媒体を設定する画面を表示部１４に表示する。ここで、図５における「送信時間」は、「高床式喫茶」の画像データの送信時間を指定するものであり、「送信方法」は「高床式喫茶」の画像データの伝送媒体を指定するものである。
【０１０８】
図５に示すように、「送信時間」として、当該画像データの送信を許す年月日および時間を設定する。ここで、図５に示す送信時間の設定は、２００８年７月１９日の０時００分から２３時５９分までの間に、データ受信装置から送信要求を受信した場合、「高床式喫茶」の画像データを送信することを意味している。また、図５に示す伝送媒体の設定は、Ｂｌｕｅｔｏｏｔｈ（登録商標）を用いて、「高床式喫茶」の画像データを送信することを意味している。
【０１０９】
最後に、ユーザーが、操作入力部１５を介した操作により、図５に示す「設定」を選択することによって、送信設定部２１は、「高床式喫茶」の画像データの送信設定を送信設定データベース５０に登録する。すなわち、送信設定部２１は、「高床式喫茶」の画像データを送信予約する。このとき、表示制御部１３は、送信予約が完了した旨の通知を表示部１４に表示することが好ましい。
【０１１０】
なお、「送信時間」は、それぞれの項目を選択し、操作入力部１５における数字キーを押下することにより、設定してもよいし、それぞれの項目を選択することにより表示されるプルダウンメニューから所望する数字を選択することにより設定してもよい。また、「送信方法」については、図５に示すように、項目を選択することにより表示されるプルダウンメニューから所望する伝送媒体を選択することにより設定することが好ましい。
【０１１１】
ここで、「送信時間」については必ずしも全て設定する必要はない。例えば、送信時間の項目を全く指定しない場合には、送信予約が完了した時点から先の任意の時点においてデータ受信装置から送信要求を受信したとき、「高床式喫茶」の画像データを送信するという送信予約を設定したことになる。すなわち、「高床式喫茶」の画像データを常に送信可能な状態にしておくように設定したことになる。他の例を挙げると、日時についてはいずれも空欄であり、年月を２００８年７月、２００８年８月と設定した場合には、２００８年の７月〜８月のいずれかでデータ受信装置から送信要求を受信したとき、「高床式喫茶」の画像データを送信するという送信予約を設定したことになる。
【０１１２】
また、プルダウンメニューから所望する数字を選択する場合には、数字と共に「指定なし」という選択肢を設定できるようにしておくことも可能である。
【０１１３】
さらに、「送信方法」は、複数選択可能であってもよい。この場合、複数の伝送媒体を用いて画像データを送信する。
【０１１４】
（画像データ３の表示の他の例）
上述した実施形態では、図４（ａ）および（ｂ）に示すように、画像データを表示する場合を例に挙げて説明しているが、もちろんこれに限定されるものではない。例えば図６（ａ）および（ｂ）に示すように、表示部１４に各画像データを１つずつ表示するようにしてもよい。この場合、表示部１４に表示されている画像を選択することにより、図６（ｂ）に示すメニュー画面を表示するようにすればよい。また、図４（ａ）に示すような一覧表示におけるサムネイルを選択することにより、図６（ａ）に示すような画像データの表示がされるようにしてもよい。
【０１１５】
（送信予約時における送信設定部２１の詳細）
送信設定データベース５０には、図７に示すような管理テーブルが記録されている。すなわち、送信設定部２１は、ユーザーが入力した送信設定を図７に示す管理テーブルに登録することにより、画像データの送信予約を行っている。ここで、図７は、画像データと送信時間と伝送媒体とを関連付けて記録している管理テーブルの一例を示す図である。
【０１１６】
「予約受付時刻」には、送信予約の完了した時刻が登録される。設定されている送信予約をユーザーに提示する場合には、この予約受付時刻の順（新しい順または古い順）に応じて提示する。「送信時間」には、図５においてユーザーの入力した時間が登録される。ユーザーが送信時間を入力しなかった場合には、送信時間のカラムは、図７に示すように、指定なしと登録されるか、または空欄のままとなる。この場合、予約受付時間が送信時間の変わりとなる。すなわち、図７の場合では、予約受付時刻である２００８年１０月２５日９時００分０５秒以降に、送信要求を受信した時に画像データ「Ａ．ｊｐｇ」を送信すると設定されていることになる。
【０１１７】
次に、「画像データ」には、送信する画像データの名称が登録される。なお、図７に示すように画像データの名称を登録してもよいし、画像データデータベース５１における当該画像データの保存位置を登録するようにしてもよい。最後に、「通信方法」には、図５においてユーザーの選択した伝送媒体が登録される。図５において複数の伝送媒体を設定した場合には、図７に示すように複数の伝送媒体が登録される。
【０１１８】
このように、送信する画像データの伝送媒体も同時に設定することができる場合には、ユーザーの所望する伝送媒体を用いて、データ受信装置に対して画像データを送信することができる。
【０１１９】
なお、図７では、複数の送信設定が登録されている場合を示しているが、これに限定されるものではなく、登録することができる送信設定は、１つであってもよい。
【０１２０】
（画像データの伝送媒体が特定されている場合の送信予約の設定）
上述した動作では、送信予約を設定する際に、送信時間および伝送媒体を設定する場合について説明しているが、これに限定されるものではない。携帯電話１では、画像データに格納されている処理指定情報が所定の種類の情報である場合、データ受信装置との間で画像データの通信に用いる通信媒体として予め決められている伝送媒体を設定することができる。
【０１２１】
データ受信装置との間で画像データの通信に用いる通信媒体が予め決められている場合の送信予約について、図８（ａ）〜（ｃ）を参照しつつ以下に説明する。なお、本項では、データ受信装置がカーナビであり、画像データがカーナビにおいて処理可能である処理指定情報を格納している場合に、Ｂｌｕｅｔｏｏｔｈ（登録商標）を用いて当該画像データを送信する場合を例に挙げて説明する。図８（ａ）〜（ｃ）は、データ受信装置との間で画像データの通信に用いる通信方法が予め決められている場合の送信予約の一例を示す図であり、（ａ）は画像データを選択したときに表示される表示画面を示しており、（ｂ）はデータの伝送媒体を示す表示画面を示しており、（ｃ）はスマートＢＴ送信を選択したときの表示部１４における表示画面を示している。なお、本明細書において、スマートＢＴは、データ受信装置との間で画像データの通信に用いる通信媒体を予め設定している場合を想定しているとする。例えば図８の例では、カーナビとの通信方法を決めているとした。
【０１２２】
例えば、図４（ａ）に示すような画像データの一覧表示画面において、「高床式喫茶」の画像データを選択すると、図８（ａ）に示すようなメニューが表示される。このとき、送信予約を行う場合には、メニューにおける「データ送信」の項目を選択する。ユーザーが、操作入力部１５を介した操作により、「データ送信」の項目を選択すると、格納情報識別部２２は、選択されている画像データに格納されている処理指定情報を識別する。制御部１０は、格納情報識別部２２において識別された「高床式喫茶」の画像データに格納されている処理指定情報がカーナビにおいて処理可能であるか否かを判定する。
【０１２３】
制御部１０が、「高床式喫茶」の画像データに格納されている処理指定情報がカーナビにおいて処理可能である情報であると判定した場合、制御部１０は、表示制御部１３に対して、図８（ｂ）に示す画面を表示部１４に表示するように指示する。すなわち、表示制御部１３は、データ伝送媒体として「スマートＢＴ送信」の項目を選択可能にして表示する。もし、制御部１０が、「高床式喫茶」の画像データに格納されている処理指定情報がカーナビにおいて処理可能である情報でないと判定した場合には、表示制御部１３は、「スマートＢＴ送信」の項目をグレーアウトするなど選択不可能にして表示する。
【０１２４】
次に、ユーザーが、操作入力部１５を介した操作により、「スマートＢＴ送信」を選択すると、表示制御部１３は、図８（ｃ）に示す画面を表示部１４に表示する。このとき、カーナビと携帯電話１との連携が確立していない場合には、「送信予約（登録）」および「送信予約（目的地）」を選択可能に表示し、「目的地に設定」および「地点登録」の項目はグレーアウトするか、または表示しないなどして選択不可能とする。一方、カーナビと携帯電話１との連携が確立している場合には、「目的地に設定」および「地点登録」を選択可能に表示し、「送信予約（目的地）」および「送信予約（登録）」をグレーアウトするか、または表示しないようにして選択不可能とする。
【０１２５】
なお、図８（ｃ）における「目的地に設定」および「送信予約（目的地）」とは、選択した画像データのＧＰＳ情報に応じて指定される地点（本項では、「高床式喫茶」の場所）を目的地に設定するように画像データをカーナビに対して送信することを意味している。また、図８（ｃ）における「地点登録」および「送信予約（登録）」とは、選択した画像データのＧＰＳ情報に応じて指定される地点（本項では、「高床式喫茶」の場所）をカーナビにメモリ登録するように画像データを送信することを意味している。
【０１２６】
ここで、ユーザーが操作入力部１５を介した操作により、図８（ｃ）における「送信予約（目的地）」または「送信予約（登録）」を選択した場合、表示制御部１３は、送信日時の設定画面を表示部１４に表示する。このとき、伝送媒体についてはＢｌｕｅｔｏｏｔｈ（登録商標）に固定されているため、図５に示した場合とは異なり、伝送媒体の欄については選択不可能に設定されているか、または伝送媒体の設定欄自体を表示しない。
【０１２７】
このように、画像データに格納されている処理指定情報が所定の種類である場合には、当該画像データを送信する伝送媒体として予め決定されている伝送媒体を設定することにより、ユーザーが付加情報付データの送信設定を登録する操作を行うたびに、伝送媒体を選択する必要がなくなり、送信設定の登録を容易なものにすることができる。
【０１２８】
また、予め決定されている伝送媒体は、携帯電話１とデータ受信装置（例えば、カーナビ）との間において通信可能な通信媒体であるため、データ受信装置が、データの受信ができない伝送媒体により画像データを送信してしまい、画像データの送信が失敗してしまうことを防止することができる。
【０１２９】
また、画像データを送信した後に、携帯電話１をそのままデータ受信装置を操作する操作機器（リモコン）として用いるようにしてもよい。
【０１３０】
例えば、データ受信装置がカーナビである場合（すなわち、制御部１０が画像データに格納されている処理指定情報をカーナビにおいて処理可能であると判断した場合）を例に挙げて説明する。カーナビと携帯電話１との連携が確立されており、図８（ｃ）において「目的地に設定」および「地点登録」を選択した場合には、画像データの送信に続いて、携帯電話１の表示部１４に、図１５（ａ）に示すリモコン画面を表示すると共に、携帯電話１の各ボタンに各機能を指示する信号を発信するよう割り当てる。これにより図１５（ａ）に対応する携帯電話１の操作入力部１５を操作することにより、カーナビに対する操作コマンドを送信することが可能となる。
【０１３１】
データ受信装置がカーナビ以外の装置であっても同様である。例えば、データ受信装置がテレビである場合（すなわち、制御部１０が画像データに格納されている処理指定情報をテレビにおいて処理可能であると判断した場合）には、図１５（ｂ）に示すようなリモコン画面を表示部１４に表示すると共に、携帯電話１の各ボタンに各機能を指示する信号を発信するよう割り当てればよい。なお、図１５（ａ）および（ｂ）は、画像データを送信した後に、携帯電話１をそのままデータ受信装置を操作するリモコンとして用いた場合の表示画面の一例であり、（ａ）はデータ受信装置がカーナビの場合の例であり、（ｂ）はデータ受信装置がテレビの場合の例である。もちろん、図１５（ａ）および（ｂ）に示すリモコン画面は一例であり、これに限定されるものではなく、適宜変更することが可能である。
【０１３２】
また、携帯電話１からデータ受信装置への操作コマンドの送信は、画像データ送信部１２を利用してもよいし、赤外線などその他の通信手段を用いてもよい。
【０１３３】
なお、上記の例では、制御部１０が画像データに格納されている処理指定情報からデータ受信装置を判断し、それに応じたリモコン画面を表示する場合を例に挙げて説明したが、これに限定されるものではない。例えば、携帯電話１が画像データを送信する前後にデータ受信装置から機器情報を取得することによりデータ受信装置を特定し、特定したデータ受信装置に応じたリモコン画面を表示するようにしてもよい。
【０１３４】
（送信時間が重複した場合の動作）
次に、画像データの送信設定における送信時間が重複した場合の動作の詳細について、図９を参照しつつ以下に説明する。図９は、送信予約時に送信時間が重複した場合における送信予約の動作を示すフローチャートである。
【０１３５】
まず、ユーザーが操作入力部１５を介した操作により、送信設定を入力すると（ステップＳ１０）、送信設定部２１は、送信設定データベース５０に送信予約されている画像データがあるか否かを判定する（ステップＳ１１）。送信設定データベース５０に送信予約されている画像データがない場合（ステップＳ１１においてＮＯ）、送信設定部２１は、ユーザーの入力した送信設定を受け付け、送信設定データベース５０に登録する（ステップＳ１６）。このとき、表示制御部１３は、送信予約が完了した旨の通知を表示部１４に表示することが好ましい。
【０１３６】
送信設定データベース５０に送信予約されている画像データが存在する場合（ステップＳ１１においてＹＥＳ）、送信設定部２１は、既に送信予約されている画像データの送信時間と送信予約しようとしている画像データの送信時間とが重複しているか否かを判定する（ステップＳ１２）。送信時間の重複が生じていない場合（ステップＳ１２においてＮＯ）、送信設定部２１は、ユーザーの入力した送信設定を受け付け、送信設定データベース５０に登録する（ステップＳ１６）。このとき、表示制御部１３は、送信予約が完了した旨の通知を表示部１４に表示することが好ましい。
【０１３７】
送信時間の重複が生じている場合（ステップＳ１２においてＹＥＳ）、携帯電話１は、ユーザーに対して送信設定を解除するか否かを問い合わせる（ステップＳ１３）。すなわち、制御部１０は、表示制御部１３に対して、送信設定を解除するか否かをユーザーに問い合わせる表示を表示部１４に表示するように指示する。そして、ユーザーは、操作入力部１５を介した操作により、送信設定を解除するか否かを選択する。
【０１３８】
ユーザーが送信設定を解除することを選択した場合（ステップＳ１３においてＮＯ）、制御部１０は、表示制御部１３に対して、予約時間の重複する送信設定のうち、どの送信設定を解除するのかをユーザーに問い合わせる表示を表示部１４に表示するように指示する。ユーザーは、操作入力部１５を介した操作により、送信設定を解除する画像データを選択する。
【０１３９】
ユーザーが予約設定を解除する画像データを選択すると、送信設定部２１は、送信設定データベース５０から、ユーザーの選択した送信設定を解除する（ステップＳ１４）。そして、送信設定部２１は、選択されていない送信設定を送信設定データベース５０に登録する（ステップＳ１６）。このとき、表示制御部１３は、送信予約が完了した旨の通知を表示部１４に表示することが好ましい。なお、送信時間の重複する送信設定が複数存在する場合には、送信時間の重複が解消されるまで、送信設定の解除を繰り返す。
【０１４０】
ユーザーが送信設定を解除しないことを選択した場合（ステップＳ１３においてＹＥＳ）、制御部１０は、表示制御部１３に対して、送信時間が重複して設定されている画像データの送信順序をユーザーに問い合わせる表示を表示部１４に表示するように指示する。ユーザーは、操作入力部１５を介した操作により、画像データの送信順序を設定する（ステップＳ１５）。ユーザーが画像データの送信順序を設定すると、送信設定部２１は、ユーザーの設定した画像データの送信順序を送信設定データベース５０に登録する（ステップＳ１７）。具体的には、送信設定データベース５０において送信時間の重複している送信設定に優先度を設定すればよい。このとき、表示制御部１３は、画像データの送信順序を設定した旨の通知を表示部１４に表示することが好ましい。
【０１４１】
このように、携帯電話１では、送信設定における送信時間が重複する場合であっても、ユーザーの所望する画像データを所望する時間に送信できるように設定しておくことができる。なお、送信時間の重複が生じた場合の動作については、上述した動作に限定されるものではない。例えば、送信設定を１件のみしか登録しない携帯電話１である場合には、後に登録された送信設定を先に登録されている送信設定に上書きするようにしてもよい。
【０１４２】
（メニュー画面の生成）
ここで、図４（ａ）において画像データを選択した際に表示するメニューに表示する項目の設定について、図１０を参照しつつ以下に説明する。図１０は、メニューの生成動作を示すフローチャートである。
【０１４３】
まず、制御部１０は、自装置がデータ受信装置に対して画像データを送信可能な状態であるのか否かを判定する（ステップＳ２０）。制御部１０がデータ受信装置に対して画像データを送信可能な状態であると判定した場合（ステップＳ２０においてＹＥＳ）、制御部１０は、表示制御部１３に対して、「直接送信」の項目を選択可能に表示するように指示する（ステップＳ２１）。一方、制御部１０がデータ受信装置に対して画像データを送信可能な状態ではないと判定した場合（ステップＳ２０においてＮＯ）、制御部１０は、表示制御部１３に対して、「送信予約」の項目を選択可能に表示するように指示する（ステップＳ２２）。これは、データを送信可能なのであればすぐに送信すればよいし、送信可能な状態でなければ後で送信できるよう設定する、という処理を自動で行なうことによりユーザの設定の手間を省略することを目的としている。しかしながら、ユーザの好みにより、送信可能な状態であったとしてもすぐには送りたくない、または、送信可能な状態でなければ送信可能な状態へ変更したい、という要求もある場合が想定される。そのような場合には、「直接送信」または「送信予約」のどちらか一方しか選べないように構成するのでなく、どちらも選択可能になるように構成するとよい。ここで、送信可能な状態であれば「直接送信」を、送信可能な状態でない場合は「送信予約」を、それぞれ優先的に表示し、ユーザによる操作回数を少しでも減らすように構成することが好ましいことは言うまでもない。
【０１４４】
次に、格納情報識別部２２は、選択した画像データに格納されている処理指定情報を抽出し、抽出した処理指定情報の種類を識別する（ステップＳ２３）。制御部１０は、格納情報識別情報２２の識別した処理指定情報の種類に基づいて、メニュー画面に表示する項目を設定する（ステップＳ２４）。このとき、メニュー画面に表示する項目の設定は、処理指定情報の種類と表示項目とが関連付けられているテーブルを参照して設定すればよい。制御部１０は、表示制御部１３に対して、画像データに格納されている処理指定情報に対応する項目を選択可能に表示するように指示する。
【０１４５】
最後に、表示制御部１３は、制御部１０から選択可能に表示するように指示された全ての項目を表示部１４に表示する（ステップＳ２５）。
【０１４６】
このように、携帯電話１では、データ受信装置と自装置との連動状態および画像データに格納されている処理指定情報の種類に応じてメニュー画面において表示する項目を適宜設定することができる。これによって、携帯電話１では、画像データそれぞれに応じた選択をユーザーに対して提示することができる。
【０１４７】
（画像データの表示）
上述した実施形態では、画像データに処理指定情報が格納されているか否かをユーザーに分かりやすくするために、画像データに処理指定情報が格納されていることを示すマーカーとして「Ｐｒ」を表示する場合を例に挙げて説明しているが、画像データに処理指定情報が格納されていることを示すマーカーはこれに限定されるものではない。例えば、画像データに格納されている処理指定情報の種類に応じたマーカーを画像データに重畳して表示するようにしてもよい。これにより、ユーザーは、表示部１４に表示される画像データがどのような種類の処理指定情報を格納しているのかを容易に判別することができる。
【０１４８】
この場合、格納情報識別部２２が、表示部１４に表示する画像データに格納されている処理指定情報の種類を識別する。そして、識別した種類に応じたマーカーを画像データに重畳するように表示制御部１３に対して指示する。表示制御部１３は、格納情報識別部２２からの指示に基づいて、画像データに格納されている処理指定情報に応じたマーカーを画像データに重畳して表示部１４に表示する。
【０１４９】
画像データに格納されている処理指定情報に応じたマーカーの表示例を図１１（ａ）〜（ｃ）に示す。図１１（ａ）〜（ｃ）は、画像データに格納されている処理指定情報に応じたマーカーを表示する場合の一例を示しており、（ａ）は、格納されている処理指定情報を示す情報を１つのマーカーとして表示する場合であり、（ｂ）は、格納されている処理指定情報を示す情報をそれぞれ別のマーカーとして表示する場合であり、（ｃ）は格納されている処理指定情報によりどのような処理が実行できるのかを示す情報をマーカーとして表示する場合である。
【０１５０】
また、図１２（ａ）に示すように、表示制御部１３は、ユーザーが操作入力部１６を介してマーカーを選択可能なように表示し、ユーザーが操作入力部１６を介してマーカーを選択した場合に、画像データに格納されている処理指定情報を示す情報を表示するようにしてもよい。この場合、図１２（ｂ）に示すように、画像データに格納されている処理指定情報がどのようなデータ処理装置において処理可能であるのかを示す情報を表示するようにしてもよい。さらに、図１２（ａ）および（ｂ）に示すように、画像データに格納されている処理指定情報を示す情報、または画像データに格納されている処理指定情報がどのようなデータ処理装置において処理可能であるのかを示す情報を選択することにより、上述したような送信予約が行えるようにすることが好ましい。
【０１５１】
このように、画像データに格納されている処理指定情報の種類に応じたマーカーを画像データに重畳して表示することにより、ユーザーは画像データに格納されている処理指定情報の種類を容易に認識することができる。これによって、ユーザーはどの画像データがどのデータ処理装置において処理を実行させることができるのかを容易に認識することができる。なお、この例ではマーカーを重畳表示する方法について説明したが、画像データに格納されている処理指定情報の種類が判別可能に提示されていれば十分であり、画像データに重畳表示しなくてもよい。例えば、画像の近くに、同様の処理指定情報の種類に応じたマーカーや印、もしくはテキストなどを表示する、などの方法でもよい。
【０１５２】
（データ通信システム５００の構成）
次に、本発明に係るデータ通信システムについて、図１３を参照しつつ以下に説明する。図１３は、データ通信システム５００の構成を示すブロック図である。ここで、本実施形態では、データ送信装置が携帯電話１であり、データ受信装置がカーナビ１００である場合を例に挙げて説明する。もちろん、データ送信装置およびデータ受信装置は、携帯電話およびカーナビに限定されるものではなく、その他の装置であってもよい。
【０１５３】
図１３に示すように、データ通信システム５００は、携帯電話１およびカーナビ１００から構成されている。ここで、携帯電話１の構成については上記にて詳述しているため、ここではその説明を省略する。したがって、本項では、カーナビ１００の構成についてのみ以下に説明する。
【０１５４】
（カーナビ１００の構成）
カーナビ１００は、図１３に示すように、ナビゲーション制御部１１０、送信要求送信部１１１、画像データ受信部１１２、地図情報データベース１１３、現在位置検出部１１４、および表示部１１５を備えている。これらの部材について、以下に説明する。
【０１５５】
（ナビゲーション制御部１１０）
ナビゲーション制御部１１０は、カーナビ１００の動作全般を制御する。例えば、ルート探索機能を実行する場合、ナビゲーション制御部１１０は、現在位置検出部１１４および地図情報データベース１１３を参照して、最適なルート（走行経路）を探索し、探索結果を表示部１１５に表示する。また、カーナビ１００と携帯電話１との連携が確立すると、携帯電話１に対して画像データの送信を要求する送信要求を送信するように指示する。
【０１５６】
（送信要求送信部１１１）
送信要求送信部１１１は、ナビゲーション制御部１１０からの指示に基づいて、携帯電話１に対して送信要求を送信する。なお、送信要求送信部１１１は、例えば、Ｂｌｕｅｔｏｏｔｈ（登録商標）を用いて送信要求を送信する。
【０１５７】
（画像データ受信部１１２）
画像データ受信部１１２は、カーナビ１００から送信した送信要求に基づいて携帯電話１から送信される画像データを受信する。なお、携帯電話１とカーナビ１００との間で画像データを送信する際に用いる伝送媒体としては、例えば、ＩＥＥＥ８０２．１１無線、ＩｒＤＡやリモコンのような赤外線、Ｂｌｕｅｔｏｏｔｈ（登録商標）などの無線、または非接触ＩＣを挙げることができる。
【０１５８】
（地図情報データベース１１３）
地図情報データベース１１３は、ルート検索の際に参照する地図情報を記録している。
【０１５９】
（現在位置検出部１１４）
現在位置検出部１１４は、人工衛星からの電波を受信することにより現在位置を測定するシステムであるＧＰＳを利用して車両の現在位置を検出する。
【０１６０】
（表示部１１５）
表示部１１５は、液晶モニターなどの映像表示モニターであり、例えば、ナビゲーション制御部１１０において探索した結果を表示する。この他にも、なお、図１２では、表示部１１５が、カーナビ１００に備えられている場合について図示しているが、これに限定されるものではなく、カーナビ１００から分離した別体の装置であってもよい。
【０１６１】
（画像データを受信した際のカーナビ１００の動作）
次に、データ通信システム５００の動作について説明する。ここで、データ通信システム５００における携帯電話１の動作（すなわち、画像データ送信動作）については、上記にて詳述したため、ここではその説明を省略する。したがって、本項では、携帯電話１から画像データを受信した際のカーナビ１００の処理動作について、図１４を参照しつつ以下に説明する。図１４は、画像データを受信した際のカーナビ１００の処理動作を示すフローチャートである。
【０１６２】
まず、画像データ受信部１１２が画像データ送信部１２から送信された画像データを受信すると（ステップＳ３０）、ナビゲーション制御部１１０は、受信した画像データに格納されている処理指定情報を抽出する（ステップＳ３１）。次に、ナビゲーション制御部１１０は、抽出した処理指定情報に応じた処理を実行する（ステップＳ３２）。例えば、処理指定情報が、位置座標の登録である場合、ナビゲーション制御部１１０は、画像データに格納されている処理指定情報に付随するパラメータとして設定されているＧＰＳ情報に基づいた位置座標（緯度および経度）をメモリ登録する。また、処理指定情報が、経路探索である場合、ナビゲーション制御部１１０は、現在位置検出部１１４から入力される現在位置座標から、画像データに格納されている処理指定情報に付随するパラメータとして設定されているＧＰＳ情報に基づいた位置座標までの最適ルートを、地図情報データベース１１３に記録されている地図情報を参照して探索する。
【０１６３】
そして、ナビゲーション制御部１１０は、処理結果を表示部１１５に表示する（ステップＳ３３）。例えば、地点登録の場合には、表示部１１５にメモリ登録した旨の通知を表示しればよいし、ルート探索の場合には、探索結果として得られた最適ルート（または最適ルートの候補）を表示する。
【０１６４】
なお、上述したカーナビ１００の動作では、画像データに格納されている処理指定情報に付随するパラメータとして設定されているＧＰＳ情報に基づいた位置座標が最終目的地である場合を例に挙げて説明しているが、処理指定情報を様々変更することにより他の処理を実行することもできる。例えば、カーナビ１００は、処理指定情報に付随するＧＰＳ情報に基づいた位置座標を経由地としてルート探索処理を実行することもできる。また、カーナビ１００は、ルート探索が完了している場合に、処理指定情報に付随するＧＰＳ情報に基づいた位置座標を新たな最終目的地として設定してルート探索処理（すなわち、リルート探索）を実行することもできる。
【０１６５】
（プログラムおよび記録媒体）
最後に、携帯電話１に含まれている制御部１０は、ハードウェアロジックによって構成すればよい。または、次のように、ＣＰＵ（Central Processing Unit）を用いてソフトウェアによって実現してもよい。
【０１６６】
すなわち、制御部１０は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０１６７】
そして、本発明の目的は、制御部１０のプログラムメモリに固定的に担持されている場合に限らず、上記プログラムのプログラムコード（実行形式プログラム、中間コードプログラム、または、ソースプログラム）を記録した記録媒体を携帯電話１に供給し、携帯電話１が上記記録媒体に記録されている上記プログラムコードを読み出して実行することによっても、達成可能である。
【０１６８】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１６９】
また、制御部１０（または携帯電話１）を通信ネットワークと接続可能に構成しても、本発明の目的を達成できる。この場合、上記のプログラムコードを、通信ネットワークを介して制御部１０に供給する。この通信ネットワークは制御部１０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０１７０】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１７１】
以上、本発明を実施形態に基づいて具体的に説明したが、本発明は、上述した実施形態に限定されるものではなく、請求項に示した範囲において種々の変更が可能であり、異なる実施形態にそれぞれ開示された技術的手段を適宜組み合わせて得られる実施形態についても本発明の技術的範囲に含まれる。
【産業上の利用可能性】
【０１７２】
本発明に係るデータ送信装置は、携帯電話以外にも、携帯型ゲーム機もしくはＰＤＡなどの携帯型情報端末などに幅広く利用することができる。
【図面の簡単な説明】
【０１７３】
【図１】本発明に係る携帯電話の要部構成を示すブロック図である。
【図２】本発明に係る画像データ生成装置において生成する画像データの構造を模式的に示す図である。
【図３】本発明に係る携帯電話における画像データの送信動作を示すフローチャートである
【図４】画像データを表示部に表示する場合の一例を示す図であり、（ａ）は画像データの一覧表示の一例を示しており、（ｂ）は画像データを選択した時のメニュー表示の一例を示している。
【図５】画像データの送信設定画面の一例を示す図である。
【図６】画像データを表示部に表示する場合の他の例を示す図であり、（ａ）は画像データの表示例を示しており、（ｂ）は画像データを選択した時のメニュー表示の一例を示している。
【図７】画像データと送信時間と伝送媒体とを関連付けて記録している管理テーブルの一例を示す図である。
【図８】データ受信装置との間で画像データの通信に用いる通信方法が予め決められている場合の送信予約の一例を示す図であり、（ａ）は画像データを選択したときに表示される表示画面を示しており、（ｂ）はデータの伝送媒体を示す表示画面を示しており、（ｃ）はスマートＢＴ送信を選択したときの表示部における表示画面を示している。
【図９】送信予約時に送信時間が重複した場合における送信予約の設定動作を示すフローチャートである。
【図１０】メニュー画面の生成動作を示すフローチャートである。
【図１１】画像データに格納されている処理指定情報に応じたマーカーを表示する場合の一例を示す図であり、（ａ）は、格納されている処理指定情報を示す情報を１つのマーカーとして表示する場合であり、（ｂ）は、格納されている処理指定情報を示す情報をそれぞれ別のマーカーとして表示する場合であり、（ｃ）は格納されている処理指定情報によりどのような処理が実行できるのかを示す情報をマーカーとして表示する場合である。
【図１２】画像データに格納されている処理指定情報に応じたマーカーを表示する場合の他の例を示す図であり、（ａ）は、マーカーを選択した場合に、画像データに格納されている処理指定情報を示す情報を表示する場合であり、（ｂ）は、マーカーを選択した場合に、画像データに格納されている処理指定情報がどのデータ処理装置において処理可能であるのかを示す情報を表示する場合である。
【図１３】本発明に係るデータ通信システムの構成を示すブロック図である。
【図１４】画像データを受信した際のカーナビの処理動作を示すフローチャートである。
【図１５】画像データを送信した後、本発明に係る携帯電話をそのままデータ受信装置を操作する操作機器として用いる場合の表示画面の一例であり、（ａ）はデータ受信装置がカーナビの場合の例であり、（ｂ）はデータ受信装置がテレビの場合の例である。
【符号の説明】
【０１７４】
１        携帯電話（データ送信装置）
３        画像データ（付加情報付データ）
５        処理指定情報
１０      制御部（処理項目設定手段、判定手段、項目設定手段）
１１      送信要求受信部
１２      画像データ送信部（送信手段）
１３      表示制御部
１４      表示部
１５      操作入力部
１６      画像データ受信部（付加情報付データ受信手段）
２０      検索部（検出手段）
２１      送信設定部
２２      格納情報識別部（識別手段）
５０      送信設定管理データベース（送信設定管理部）
５１      画像データデータベース（データ記録部）
１００    カーナビ（データ受信装置）
１１０    ナビゲーション制御部（処理実行手段）
１１１    送信要求送信部
１１２    画像データ受信部（受信手段）
１１３    地図情報データベース
１１４    位置検出部
１１５    表示部
５００    データ通信システム
【図１】
2010081423.tif 000003
【図２】
2010081423.tif 000004
【図３】
2010081423.tif 000005
【図４】
2010081423.tif 000006
【図５】
2010081423.tif 000007
【図６】
2010081423.tif 000008
【図７】
2010081423.tif 000009
【図８】
2010081423.tif 000010
【図９】
2010081423.tif 000011
【図１０】
2010081423.tif 000012
【図１１】
2010081423.tif 000013
【図１２】
2010081423.tif 000014
【図１３】
2010081423.tif 000015
【図１４】
2010081423.tif 000016
【図１５】
2010081423.tif 000017